(57)【特許請求の範囲】
【請求項１】
有機ＥＬ素子を有する複数の面状発光モジュールを配置した面状発光型照明装置であって、
前記面状発光モジュールは、相互に隣接する２つが高輝度とその高輝度よりも輝度の低い低輝度との少なくとも異なる２種類の輝度で点灯するように構成され、複数の第１の面状発光モジュール群と、前記複数の第１の面状発光モジュール群夫々と相互に隣接するように配置された複数の第２の面状発光モジュール群とに分けられ、
前記第１の面状発光モジュール群と第２の面状発光モジュール群とのいずれか一方の群は、高電圧が印加されて前記高輝度で点灯し、他方の群は、その高電圧よりも低い低電圧が印加されて前記低輝度で点灯するとともに、輝度切替手段によって、前記一方の群は、前記低電圧が印加されて前記低輝度で点灯するとともに、前記他方の群は、前記高電圧が印加されて前記高輝度で点灯するように構成され、
前記高輝度と低輝度との輝度差は、面状発光モジュールの特性に基づいて複数の面状発光モジュール間で生じ得る最大輝度差として設定した輝度差設定値よりも大きいことを特徴とする面状発光型照明装置。
【請求項２】
前記面状発光モジュールは、マトリクス状に配置されていることを特徴とする請求項１記載の面状発光型照明装置。
【請求項３】
前記複数の面状発光モジュールは、相互に隣接する２つを１組とした複数の組から構成され、
前記複数の組の夫々の一方は、第１点灯回路によって点灯制御され、前記複数の組の夫々の他方は、第２点灯回路によって点灯制御されるよう構成されていることを特徴とする請求項１又は２に記載の面状発光型照明装置。
【請求項４】
前記面状発光モジュールの全部又は一部の発光面には、所定の光透過率を有するシート状の光透過部材が設けられていることを特徴とする請求項１〜３の何れか一項に記載の面状発光型照明装置。
【発明の詳細な説明】
【技術分野】
【０００１】
本発明は、有機ＥＬ素子を有する複数の面状発光モジュールを配置した面状発光型照明装置に関するものである。
【背景技術】
【０００２】
有機ＥＬ素子は薄型の光源であり、これを使用することにより、従来にない薄型の照明器具を実現できる光源として期待されている。ところが、現状の有機ＥＬ素子は発光効率が十分といえず、照明として利用する場合には、複数の有機ＥＬ素子を使って光量を確保することが必要である。
【０００３】
また、別の課題として、有機ＥＬ素子毎の特性のバラツキにより、一定の電流を流しても光の出力が異なる。多くの有機ＥＬ素子を集めて１つの大きな光源として使用するような照明器具を実現する場合、例えば四角形状の有機ＥＬ素子を敷詰めて作るような場合、個々の特性のバラツキによって光出力に差が生じ、隣接するものの光の差が目立って意匠性を損なう。ただし、この様な照明器具でも照射面での照度のバラツキが問題となることは少ない。その理由は、照射面には光の拡散により照明器具に具備される多数の発光層からの光が集まる為、１つの素子の輝度差による影響が現れにくいからである。
【０００４】
そこで、このような有機ＥＬ素子の特性バラツキを補正して均一の発光量を得る発光装置が提案されている。このものは、駆動信号の大きさに応じた光度で発光する複数の発光素子（有機ＥＬ素子）と、前記複数の発光素子ごとに設けられ、前記複数の発光素子の光度が一定になるように調整した前記駆動信号の大きさを各々保持する複数の保持部と、前記複数の発光素子ごとに設けられ、発光すべき階調に応じた期間だけ対応する発光素子に前記保持部に保持された大きさの前記駆動信号を供給する複数の供給部とを備えたものとする。こうすることにより、供給部が、発光すべき階調に応じた期間だけ保持部に保持された大きさの駆動信号を供給するので、均一な輝度で複数の発光素子を発光させることができる（特許文献１参照）。
【特許文献１】特開２００７−１２２００１号公報
【発明の開示】
【発明が解決しようとする課題】
【０００５】
しかしながら、この発明による方法では、予め光度が一定となる駆動信号を１つ１つの有機ＥＬ素子ごとに調べて設定する必要があり、作業が煩雑となる。また有機ＥＬ素子の１つ１つに駆動信号の設定を記憶する手段が必要となるので、構成が複雑となる。
【０００６】
また、有機ＥＬ素子ごとに異なる駆動信号が必要であり、これは点灯制御回路が必要であることを意味し、多くの有機ＥＬ素子を集めて１つの大きな光源として使用するような照明器具においては、点灯制御回路のスペースが多くを占めるようになり、薄型の器具を作成することが困難になる。よって、構成を簡単にする目的等で、複数の素子を１つの点灯制御で行う場合、この方法では発光量のバラツキを抑制することが事実上困難である。
【０００７】
本発明は、有機ＥＬ素子の特性のバラツキによる光出力の差が目立たない照明器具の提供を目的とする。
【０００８】
更に、本発明は、有機ＥＬ素子ごとに点灯制御回路を設けなくてもよい照明器具の提供を目的とする。
【課題を解決するための手段】
【０００９】
前記課題を解決するために、本発明の請求項１は、有機ＥＬ素子を有する複数の面状発光モジュールを配置した面状発光型照明装置であって、前記面状発光モジュールは、高輝度と、その高輝度よりも輝度の低い低輝度との少なくとも異なる２種類の輝度で点灯するように構成され、複数の第１の面状発光モジュール群と、前記複数の第１の面状発光モジュール群夫々と相互に隣接するように配置された複数の第２の面状発光モジュール群とに分けられ、前記第１の面状発光モジュール群と第２の面状発光モジュール群とのいずれか一方の群は、高電圧が印加されて前記高輝度で点灯し、他方の群は、その高電圧よりも低い低電圧が印加されて前記低輝度で点灯するとともに、輝度切替手段によって、前記一方の群は、前記低電圧が印加されて前記低輝度で点灯するとともに、前記他方の群は、前記高電圧が印加されて前記高輝度で点灯するように構成され、前記高輝度と低輝度との輝度差は、面状発光モジュールの特性に基づいて複数の面状発光モジュール間で生じ得る最大輝度差として設定した輝度差設定値よりも大きいことを特徴とする面状発光型照明装置を提供する。
ここで、「面状発光モジュールの特性」とは、複数の面状発光モジュール夫々に同じ電圧を印加した場合に、それらの複数の面状発光モジュールに生じる輝度のバラツキをいい、「複数の面状発光モジュール間で生じ得る最大輝度差」とは、それらの複数の面状発光モジュールの内で最も輝度の高いものと最も輝度に低いものとの差をいう。
【００１０】
請求項２のように、前記面状発光モジュールは、マトリクス状に配置されていることが好ましい。
【００１３】
請求項３のように、前記複数の面状発光モジュールは、相互に隣接する２つを１組とした複数の組から構成され、前記複数の組の夫々の一方は、第１点灯回路によって点灯制御され、前記複数の組の夫々の他方は、第２点灯回路によって点灯制御されるよう構成されていることが好ましい。
【００１５】
請求項４のように、前記面状発光モジュールの全部又は一部の発光面には、所定の光透過率を有するシート状の光透過部材が設けられていることが好ましい。
【発明の効果】
【００１６】
請求項１によれば、面状発光モジュールが、高輝度と、その高輝度よりも輝度の低い低輝度との少なくとも異なる２種類の輝度で点灯するように構成されているため、各面状発光モジュールが異なる発光量の照明器具として認識され、面状発光モジュールの有機ＥＬ素子ごとに有機ＥＬ素子の特性に基づく輝度のバラツキがあっても、特性のバラツキによる差が目立ち難いものにでき、違和感のないものにできる。
又、面状発光モジュールは、一般に、低電圧を印加して低輝度で点灯する場合よりも高電圧を印加して高輝度で点灯する場合の方が、短期間で劣化し易い。しかし、上記のように、第１の面状発光モジュール群と第２の面状発光モジュール群との一方の群は、高電圧が印加されて前記高輝度で点灯し、他方の群は、その高電圧よりも低い低電圧が印加されて前記低輝度で点灯するとともに、輝度切替手段によって、前記一方の群は、前記低電圧が印加されて前記低輝度で点灯するとともに、前記他方の群は、前記高電圧が印加されて前記高輝度で点灯するように構成することによって、面状発光モジュールに供給する電圧を平均化でき、特定の面状発光モジュールの早期の劣化を防止でき、面状発光モジュールの寿命を平均化させることができる。
又、高輝度と低輝度との輝度差を、面状発光モジュールの特性に基づいて複数の面状発光モジュール間で生じ得る最大輝度差として設定した輝度差設定値よりも大きいものにするため、より一層確実に、面状発光モジュールが異なる発光量で発光しているものと認識され、面状発光モジュールの特性に基づく輝度のバラツキによる差が、より一層、目立たないものにできる。
【００１７】
請求項２によれば、面状発光モジュールはマトリクス状に配置されているため、隣接する面状発光モジュールが異なる発光量の照明器具として認識され、素子ごとに特性に基づく輝度のバラツキがあっても、特性のバラツキによる差が目立ち難いものにできる。
【００１９】
請求項３によれば、複数の面状発光モジュールは、相互に隣接する２つを１組とした複数の組から構成され、それらの組の夫々の一方が第１点灯回路によって点灯制御され、前記複数の組の夫々の他方が第２点灯回路によって点灯制御されるよう構成されているため、例えば第１点灯回路によって高輝度で点灯させ、第２点灯回路によって低輝度で点灯させることができ、２つの点灯回路で制御をまかなうことができる。従って、例えば多くの回路によって個々の面状発光モジュールを点灯制御する場合に比べて、点灯回路の部品定数のバラツキに起因する点灯回路の出力バラツキに基づく輝度のバラツキを小さくできる。又、構成を簡素化でき、製作を容易なものにできる。
【００２２】
請求項４によれば、面状発光モジュールの全部又は一部の発光面には、所定の光透過率を有するシート状の光透過部材が設けられているため、例えば光透過率の低い光透過部材を設けた面状発光モジュールは、それよりも光透過率の高い光透過部材を設けた面状発光モジュールよりも輝度を低くできる。従って、容易に、面状発光モジュールの全部又は一部を異なる輝度で点灯でき、面状発光モジュールに印加する電圧等を調整することなく輝度を制御することができ、ランニングコストを低減することができる。又、電圧等を調整する制御手段も不要にでき、低コストで製作できる。
【発明を実施するための最良の形態】
【００２３】
以下、本発明を実施するための最良の形態について、図面を参照しながら詳細に説明する。
【００２４】
図１は、本発明の面状発光型照明装置の概略の斜視図、図２は、面状発光型照明装置に用いられる面状発光モジュールの有機ＥＬ素子の一部を断面にした斜視図、図３は、面状発光型照明装置の概略の回路図である。
【００２５】
本発明の面状発光型照明装置１は、図１、図３に示すように、同構成を採る複数の面状発光モジュール２と、それらの面状発光モジュール２を点灯させる点灯回路１０ａ、１０ｂと、点灯回路１０ａ、１０ｂと通信可能に接続され点灯回路１０ａ、１０ｂの点灯を管理する点灯管理部１２とを備えている。又、面状発光モジュール２は、夫々、有機ＥＬ素子３を備えている。
【００２６】
この実施形態における有機ＥＬ素子３は、図２に示すように基板４と、２つの電極５、６と、有機発光層７と、封止層８とを備えている。
【００２７】
基板４は、透光性を有する板状体から構成されている。この実施形態では、透明な絶縁性を有するガラス製の長方形状のものから構成されている。
【００２８】
電極５、６は、陽極を構成する板状の透明電極５と、陰極を構成する板状の金属反射電極６との２つから構成されている。透明電極５は、透明電極本体部５１と、透明電極端子５２とから構成されている。透明電極本体部５１は、基板４の背面４ｂと有機発光層７との間に配設されている。
【００２９】
透明電極端子５２は、透明電極本体部５１の一端側（図の左端側）から左方側に延設されている。又、この実施形態における透明電極端子５２は、基板４の背面に設けられた陽極接続用導体８に通電可能に接続されている。
【００３０】
詳しくは、陽極接続用導体８は、基板４の背面４ａにおける透明電極端子５２の左側方側に設けられた導体本体部８１と、導体本体部８１より細幅に形成され一端側が導体本体部８１と通電可能に接続された本体接続部８２とを備えている。そして、透明電極端子５２は、本体接続部８２の他端側に通電可能に接続されており、これにより、本体接続部８２を介して、透明電極端子５２と導体本体部８１とが通電可能に接続されている。
【００３１】
金属反射電極６は、金属反射電極本体部６１と、金属反射電極端子６２とから構成されている。金属反射電極本体部６１は、有機発光層７の裏側に配設され、この金属反射電極本体部６１と上記透明電極本体部５１とで、有機発光層７を挟んでいる。
【００３２】
金属反射電極端子６２は、金属反射電極本体部６１の他端（図の右端）から右方側に延設されている。又、この金属反射電極端子６２は、先の透明電極端子５２と同様に、基板４の背面４ａに設けられた陰極接続用導体９に通電可能に接続されている。
【００３３】
尚、この陰極接続用導体９は、上記陽極接続用導体８とほぼ同構成を採っており、導体本体部９１と、本体接続部９２とを備え、金属反射電極端子６２は、本体接続部９２を介して導体本体部９１に通電可能に接続されている。
【００３４】
有機発光層７は、例えばインジウム・すず酸化物（Ｉｎｄｉｕｍ  Ｔｉｎ  Ｏｘｉｄｅ：ＩＴＯ）のような透光性を有する導電材料からなり、例えば厚さ方向に通電されることにより発光する。
【００３５】
そして、この有機発光層７は、上述のように、透明電極５の透明電極本体部５１の背面全体を覆うようにして、透明電極本体部５１と金属反射電極本体部６１との間に配設されている。
【００３６】
封止層８は、絶縁性の材料、例えばシリコーン樹脂等から構成されている。そして、この封止層８は、有機発光層７の側面を覆い、有機発光層７を基板４とによって気密に封止しているとともに、金属反射電極本体部６１の背面と側面とを覆って金属反射電極本体部６１等を保護している。
【００３７】
このように構成された有機ＥＬ素子３を有する面状発光モジュール２は、陰極接続用導体９及び陽極接続用導体８に、電力を供給するための給電端子が接続される等して電力が供給されることにより、有機発光層７が発光し、基板４の表面から照射する。従って、基板４の表面は、発光面４ａとして機能する。
【００３８】
そして、この実施形態では、面状発光モジュール２は、図１に示すように縦及び横方向に規則的に並べられてマトリクス状に配置されている。
【００３９】
次に、点灯回路１０ａ、１０ｂについて説明する。点灯回路１０ａ、１０ｂは、この実施形態では、第１の点灯回路１０ａと、第２の点灯回路１０ｂとを備えている。
【００４０】
第１の点灯回路１０ａは、複数の面状発光モジュール２における相互に隣接する２つを１組として形成される複数の組の夫々の一方の第１の面状発光モジュール群（図１参照）を点灯制御するもので、図示しない電源と、電源から上記第１の面状発光モジュール群２ａに給電するための給電線１１等を備えている。
【００４１】
第２の点灯回路１０ｂは、上記複数の組の夫々の他方の面状発光モジュール群２ｂを点灯制御するもので、図示しない電源、電源から上記他方の第２の面状発光モジュール群２ｂ（図１参照）に給電するための給電線１１等を備えている。
【００４２】
点灯管理部１２は、図４に示すように輝度差生成手段１３と、現在点灯条件登録部１４と、電源オンオフ判定部１５と、次回点灯条件登録部１６とを備えている。輝度差生成手段１３は、第１の点灯回路１０ａに接続された第１の面状発光モジュール群２ａに印加する電圧と、第２の点灯回路１０ｂに接続された第２の面状発光モジュール群２ｂに印加する電圧とに差を設けることによって、第１の面状発光モジュール群２ａと第２の面状発光モジュール群２ｂとに点灯した際の輝度に差を生成する。
【００４３】
詳しくは、輝度差生成手段１３は、例えば第１の面状発光モジュール群２ａと第２の面状発光モジュール群２ｂとの何れか一方の群に高電圧を印加し一方の群に高輝度で点灯させた場合に、他方の群に、上記高電圧よりも低い低電圧を印加し、上記高輝度よりも低い低輝度で点灯させる。
【００４４】
又、その輝度差は、特に限定されず、適宜変更できるが、この実施形態では、この種の通常の面状発光モジュールの有機ＥＬ素子に生じ得る最大輝度差として設定された輝度差設定値よりも大きい差とされている。
【００４５】
より詳しくは、例えば複数の面状発光モジュールの有機ＥＬ素子に同じ電圧、例えば４Ｖの電圧を印加した場合、有機ＥＬ素子３の平均電流密度は１０ｍＡ／ｍ２程度で、平均輝度が３０００ｃｄ／ｍ２程度であり、輝度のバラツキは、通常、その平均輝度の±５％の範囲とされ、最大輝度差は、３００ｃｄ／ｍ２とされる。従って、この実施形態では、輝度差設定値を３００ｃｄ／ｍ２とし、それよりも大きい輝度差が生じるように、上記双方の有機ＥＬ素子に印加する電圧が設定されている。
【００４６】
現在点灯条件登録部１４は、現在の第１の面状発光モジュール群２ａの点灯状態と、第２の面状発光モジュール群２ｂの点灯条件とを、この点灯管理部１２に設けられたメモリに登録させる。
【００４７】
電源オンオフ判定部１５は、電源がオフ状態か又はオン状態かを、この面状発光型照明装置１に設けられた電源オンオフ検出装置（図示せず）による検出に基づいて判定する。
【００４８】
この実施形態では、電源オンオフ検出装置は、点灯回路１０ａ、１０ｂに電流が流れているか否かを検出可能な電流検出器から構成されており、電源オンオフ判定部１５は、電流検出器による電流の検出に基づいて判定する。
【００４９】
次回点灯条件登録部１６は、電源オンオフ判定部１５の判定によって電源がオフされた旨の判定をしその後に電源がオンされた旨の判定をした場合に、第１の面状発光モジュール群２ａを点灯させる条件と、第２の面状発光モジュール群２ｂを点灯させる条件とをメモリに登録させる。
【００５０】
この実施形態では、例えば現在点灯条件登録部１４に、第１の面状発光モジュール群２ａが高輝度で点灯し、第２の面状発光モジュール群２ｂが低輝度で点灯している旨、登録されている場合は、第１の面状発光モジュール群２ａを低輝度で点灯させ、第２の面状発光モジュール群２ｂを高輝度で点灯させる旨、登録する。
【００５１】
また、点灯管理部１２は、図示しないが、記録装置であるメモリ、制御装置であるＣＰＵ等を備えている。そして、上記ＣＰＵは、図４の輝度差生成手段１３、現在点灯条件登録部１４、電源オンオフ判定部１５、次回点灯条件登録部１６として機能する。
【００５２】
次に、第１および第２の面状発光モジュール群２ａ、２ｂの動作について、図５に基づいて説明する。尚、説明の都合上、第１の面状発光モジュール群２ａが高輝度で点灯し、第２の面状発光モジュール群２ｂが低輝度で点灯し全体として市松模様を表した図１に示す状態から説明する。又、この状態の第１の面状発光モジュール群２ａ、及び第２の面状発光モジュール群２ｂの夫々の現在の点灯条件は、初期設定されてメモリに登録されているものとして説明する。
【００５３】
点灯管理部１２は、電源オンオフ判定部１５によって、電源がオフされたか否かを検出する（図５、ステップＳ１）。このステップＳ１において、電流検出器によって給電線１１に電流が流れていることを検出した場合、その検出に基づいて点灯管理部１２は、電源がオフされていない旨の判定をし、電源がオフされるのを待つ。
【００５４】
一方、ステップＳ１において、電流検出器によって給電線１１に電流が流れていないことを検出した場合、その検出に基づいて、点灯管理部１２は、電源がオフされた旨の判定をする。
【００５５】
そして、点灯管理部１２は、第１の面状発光モジュール群２ａ、及び第２の面状発光モジュール群２ｂの次回の点灯条件をメモリに登録させる（図５、ステップＳ２）。
【００５６】
上記の場合は、第１の面状発光モジュール群２ａと、第２の面状発光モジュール群２ｂとを切り替えて、第１の面状発光モジュール群２ａに低電圧を印加して低輝度で点灯させ、第２の面状発光モジュール群２ｂに高電圧を印加して高輝度で点灯させる旨、登録させる。
【００５７】
次に、点灯管理部１２は、電源オンオフ判定部１５によって、電源がオンされたか否かを判定する（図５、ステップＳ３）。このステップＳ３において、電流検出器によって給電線１１に電流が流れていないことを検出した場合、その検出に基づいて点灯管理部１２は、電源がオンされていない旨の判定をし、電源がオンされるのを待つ。
【００５８】
一方、ステップＳ３において、電流検出器によって給電線１１に電流が流れていることを検出した場合、その検出に基づいて、点灯管理部１２は、電源がオンされた旨の判定をする。
【００５９】
そして、点灯管理部１２は、電源がオンされた旨の判定をした場合はその判定に基づいて、登録された次回点灯条件に基づいて第１の面状発光モジュール群２ａと、第２の面状発光モジュール群２ｂとを点灯させる（図５、ステップＳ４）。上記の場合では、第１の面状発光モジュール群２ａを低輝度で点灯させ、第２の面状発光モジュール群２ｂを高輝度で点灯させ、全体として市松模様を表すように点灯させる。
【００６０】
その後、点灯管理部１２は、現在の第１の面状発光モジュール群２ａ及び第２の面状発光モジュール群２ｂの点灯条件をメモリに記録させる（図５、ステップＳ５）。
【００６１】
尚、上記実施形態では、現在点灯条件登録部１４と電源オンオフ判定部１５と次回点灯条件登録部１６とで輝度切替手段を構成し、面状発光モジュールの高輝度から低輝度への切り替え又は低輝度から高輝度への切り替えを、電源オンオフごとに行っているが、この形態のものに限らず、適宜変更できる。
【００６２】
例えば時間の経過によって徐々に高輝度から低輝度に更にその低輝度から高輝度になるように切り替えるようにしても良い。詳しくは、例えば点灯管理部１２に、輝度切替手段として電力量調整部を備えたものとし、この電力量調整部によって、第１の面状発光モジュール群２ａと、第２の面状発光モジュール２ｂに印加する電力量（電圧量）を、設定時間だけ経過するごとに徐々に減らし、あるいは増やすとともに、一定周期で元に戻すようにする。
【００６３】
例えば第１の面状発光モジュール群２ａが高輝度に、第２の面状発光モジュール群２ｂが低輝度に点灯した状態において、電力量調整部によって、第１の面状発光モジュール群２ａに印加する電力量を、設定時間だけ経過するごとに徐々に減らし、第２の面状発光モジュール群２ｂに印加する電力量を、設定時間だけ経過するごとに徐々に増やす。
【００６４】
そして、所定時間、例えば半日経過した時点で、第１の面状発光モジュール群２ａと、第２の面状発光モジュール群２ｂとの輝度の高低が逆転し、所定時間、例えば１日経過した時点で、図６に示すように、第１の面状発光モジュール群２ａが上記の低輝度に切り替わり、第２の面状発光モジュール群２ｂが上記の高輝度に切り替わる。
【００６５】
その後、同様に、第１の面状発光モジュール群２ａに印加する電力量を、設定時間だけ経過するごとに徐々に増やし、第２の面状発光モジュール群２ｂに印加する電力量を、設定時間だけ経過するごとに徐々に減らす。そして、１日経過した時点で第１の面状発光モジュール群２ａが低輝度から高輝度に切り替わり、第２の面状発光モジュール群２ｂが高輝度から低輝度に切り替わるようにする。
【００６６】
このようにして、所定周期、例えば２日周期で、元の状態に戻す。以上のようにして点灯させることによっても、特定の面状発光モジュールの早期の劣化を防止でき、全体の面状発光モジュールの寿命の平均化を図ることができる。又、面状発光モジュール２の輝度が徐々に変化するため、人に判り難いものにでき、違和感のないものにできる。
【００６７】
又、上記実施形態では、面状発光モジュール２を碁盤の目のようにマトリクス状に並べているが、この形態のものに限らず、例えば縦方向又は横方向にのみ並列させるようにしても良く、適宜変更できる。
【００６８】
また、上記実施形態では、２つの点灯回路１０ａ、１０ｂによって面状発光モジュール２の点灯を制御しているが、例えば３つ以上の点灯回路によって、例えば高輝度に点灯するものと、その高輝度よりも輝度の低い低輝度に点灯するものと、その高輝度よりも輝度が低く、且つその低輝度よりも輝度が高い中輝度に点灯するものとの３種類の輝度で点灯させるようにしても良い。あるいは、面状発光モジュールごとの点灯回路によって、面状発光モジュールごとに異なる輝度で点灯させるようにしても良い。
【００６９】
又、上記実施形態では、輝度差生成手段として、面状発光モジュールに印加する電力量を変えることによって行っているが、この形態のものに限らず、一定の光透過率を有するシート状の光透過部材によって面状発光モジュール同士間に輝度差ができるようにしても良く、適宜変更できる。
【００７０】
例えば図７に示すように、高光透過率の光透過部材１４ａと、その高光透過率の光透過部材１４ａよりも光透過率の低い低光透過率の光透過部材１４ｂとの２種類のものから構成し、高光透過率の光透過部材１４ａを、上記第１の面状発光モジュール群２ａの夫々の発光面４ａに、低光透過率の光透過部材１４ｂを、第２の面状発光モジュール群２ｂの発光面４ａに貼着する。尚、光透過部材は、例えばアクリル、シリコーン等の合成樹脂から構成することができる。
【００７１】
これにより、第１の面状発光モジュール群２ａが第２の面状発光モジュール群２ｂよりも高輝度で点灯し、その輝度差によって全体として市松模様を表すことができる。又、その際、第１の面状発光モジュール群２ａと第２の面状発光モジュール群２ｂとに同じ電力を供給すれば良く、電力供給の制御を簡単にできる。
【００７２】
又、上記のような光透過部材を用いる場合において、光透過率の異なる２種類のものから構成する形態のものに限らず、３種類以上のものから構成しても良い。又、１種類のものから構成し、例えば第１の面状発光モジュール群２ａにだけ貼着するようにしても良い。また、光透過部材を用いるとともに、面状発光モジュール２に印加する電力量に差を設け、その両方で面状発光モジュール２が点灯した際の輝度差を設けるようにしても良い。
【図面の簡単な説明】
【００７３】
【図１】本発明の一実施の形態の面状発光型照明装置の概略の斜視図である。
【図２】面状発光型照明装置に用いられる面状発光モジュールの有機ＥＬ素子の一部を断面にした斜視図である。
【図３】面状発光型照明装置の概略の回路図である。
【図４】点灯管理部を説明するためのブロック図である。
【図５】面状発光モジュールの点灯の制御の流れを示すフローチャートである。
【図６】第１の面状発光モジュール群が低輝度に、第２の面状発光モジュール群が高輝度に輝度を切り替えた状態の面状発光型照明装置の概略の斜視図である。
【図７】高光透過率の光透過部材と、第１の面状発光モジュール群の夫々の発光面に、低光透過率の光透過部材を、第２の面状発光モジュール群２ｂの発光面に、夫々貼着した状態の分解斜視図である。
【符号の説明】
【００７４】
１    面状発光型照明装置
２    面状発光モジュール
２ａ    第１の面状発光モジュール群
２ｂ    第２の面状発光モジュール群
３    有機ＥＬ素子
【図１】
0004893600.tif 000002
【図２】
0004893600.tif 000003
【図３】
0004893600.tif 000004
【図４】
0004893600.tif 000005
【図５】
0004893600.tif 000006
【図６】
0004893600.tif 000007
【図７】
0004893600.tif 000008